(57)【要約】【課題】従来のライン状に複数の照明装置を設置する場合、長尺な照明装置を取付レールに沿って長手方向にスライドさせる構造であるので、ラインの照明装置の何れか１つが故障すると、隣り合う他のラインの照明装置が邪魔となり、故障した照明装置のみを交換することができないという問題があった。【解決手段】本願発明は、天井等の設置面にライン状に他の照明装置１と共に取付けられ、少なくとも光源を収容する筐体を有する照明装置１であって、光源を収容する筐体は、前記ラインに対する垂直方向から照明装置１を係止する係止部材を備えることを特徴とする。【選択図】図１
2009181813.tif 000002
【特許請求の範囲】
【請求項１】
天井等の設置面にライン状に他の照明装置と共に取付けられ、少なくとも光源を収容する筐体を有する照明装置であって、
前記光源を収容する筐体は、前記ラインと垂直をなす方向から前記照明装置を係止する係止部材を備えることを特徴とする照明装置。
【請求項２】
光源を収容する筐体と、前記光源を駆動する電源回路を収容する筐体とを備える照明装置であって、
一方の筐体を他方の筐体に対して隣り合う他の照明装置と接しない側から相対的に移動させて係止する係止部材を備えることを特徴とする照明装置。
【請求項３】
光源を収容する筐体と、前記光源を駆動する電源回路を収容する筐体とを備える細長の照明装置であって、
一方の筐体を他方の筐体に対して前記照明装置の短手方向に相対的に移動させて係止する係止部材を備えることを特徴とする照明装置。
【請求項４】
前記光源を収容する筐体は、前記設置面または前記電源回路を収容する筐体に着脱可能であることを特徴とする請求項１から請求項３の何れか１項に記載の照明装置。
【請求項５】
前記係止部材は、開口部を有する受け部と前記開口部に嵌合される突起部とからなることを特徴とする請求項１から請求項４の何れか１項に記載の照明装置。
【請求項６】
前記受け部は前記光源を収容する筐体に設けられ、前記突起部は前記設置面または前記電源回路を収容する筐体に設けられてなることを特徴とする請求項５に記載の照明装置。
【請求項７】
前記係止部材は、前記照明装置の長手方向に沿って形成されてなることを特徴とする請求項１から６の何れか１項に記載の照明装置。
【請求項８】
二つの筐体の何れか一方の筐体は、前記二つの筐体が係止された状態で固定する固定部を備えることを特徴とする請求項２から請求項６の何れか１項に記載の照明装置。
【請求項９】
前記光源はＬＥＤであることを特徴とする請求項１から請求項７の何れか１項に記載の照明装置。
【発明の詳細な説明】
【技術分野】
【０００１】
本発明は、光源を収容する筐体と前記光源を駆動する電源回路部を収容する筐体とを備える照明装置に関する。
【背景技術】
【０００２】
近年、発光ダイオード（以下、ＬＥＤと記す）を光源とする照明装置の開発が行われている。
ＬＥＤを光源とする照明装置は、従来の蛍光灯等を光源とする照明装置と異なり、通常は、ＬＥＤを灯具に直接取り付ける構造を有している。従って、照明装置を天井に取り付ける際に、使用者が灯具に取り付けられたＬＥＤに触れてしまう虞があり、ＬＥＤに触れる事によってＬＥＤの寿命が短くなるといった光源の性能の低下を引き起こす可能性があるので、ＬＥＤを灯具内に収容する構造が求められていた。
【０００３】
また、ＬＥＤを光源とする照明装置を天井に設けられた例えばＣチャネルに取り付ける場合において、まず、ＬＥＤを駆動する電源回路を天井に配設されている例えばＶＡ線といった電力線に接続させるようにして電源回路を収容する筐体を天井に取り付け、次に、電源回路とＬＥＤを接続させるようにしてＬＥＤを収容した筐体を電源回路を収容する筐体に取付けていた（例えば特許文献１）。従って、電源回路を収容した筐体とＬＥＤを収容した筐体とを、安全かつ簡易に取り付ける構造も求められていた。
【０００４】
図８に特許文献１に記載されている照明装置を示す。図に示すように、ＬＥＤを光源とする照明装置５１はライン照明を構成する照明装置で、天井に取付けられる長尺な取付レール５２と、この取付レール５２に沿って着脱可能に取り付けられる長尺な照明モジュール５３を有している。取付レール５２と照明モジュール５３には、長手方向に沿って係止溝部５４と係止爪部５５が夫々設けられており、照明モジュール５３を取付レール５２の長手方向にスライドさせることによって、照明装置５１が天井に取り付けられる。
【特許文献１】特開２００７−５９１９７号公報
【発明の開示】
【発明が解決しようとする課題】
【０００５】
しかし、上記特許文献１に開示された照明装置は、長尺な照明装置を取付レールに沿って長手方向にスライドさせる構造であるので、天井等の設置面に複数の照明装置をライン状に設置した場合において、ラインの照明装置の何れか１つが故障すると、隣り合う他のラインの照明装置が邪魔となり、故障した照明装置のみを交換することができないという問題があった。
【０００６】
また、照明装置を天井に取り付ける際においても、取付レールの１方向から照明装置を１つずつしか取り付けることができず、作業性が悪いという問題があった。
そこで、本発明は、上記問題を鑑みてなされたものであって、光源を収容する筐体と電源回路を収容する筐体とを係止し、照明装置を天井に容易に取り付けることを可能とするものである。
【課題を解決するための手段】
【０００７】
本発明の照明装置は、天井等の設置面にライン状に他の照明装置と共に取付けられ、少なくとも光源を収容する筐体を有する照明装置であって、前記光源を収容する筐体は、前記ラインと垂直をなす方向から照明装置を係止する係止部材を備えることを特徴とする。
【０００８】
本構成により、天井等の設置面に複数の照明装置をライン状に設置した場合において、ラインの照明装置の何れか１つが故障したとしても、故障した照明装置のみ交換することが可能なる。また、ライン状に複数の照明装置を取付ける場合においても、複数の照明装置を同時に取付けることが可能となるので、作業性が向上する。
【０００９】
本発明の照明装置は、光源を収容する筐体と、前記光源を駆動する電源回路を収容する筐体とを備える照明装置であって、一方の筐体を他方の筐体に対して隣り合う他の照明装置と接しない側から相対的に移動させて係止する係止部材を備えることを特徴とする。
【００１０】
本構成により、光源を収容する筐体と電源回路を収容する筐体とを係止し、照明装置を天井に容易に設置することができる。また、天井等の設置面に連続して複数の照明装置を設置する場合であっても、隣り合う他の照明装置の側と異なる方向から照明装置を設置することができる。
【００１１】
本発明の照明装置は、光源を収容する筐体と、前記光源を駆動する電源回路を収容する筐体とを備える細長の照明装置であって、一方の筐体を他方の筐体に対して前記照明装置の短手方向に相対的に移動させて係止する係止部材を備えることを特徴とする。
【００１２】
本構成により、光源を収容する筐体と電源回路を収容する筐体とを係止し、照明装置を天井に容易に設置することができる。また、天井等の設置面にライン状に複数の照明装置を設置する場合であっても、個別に照明装置を着脱することができる。
【００１３】
本発明の照明装置は、さらに、前記光源を収容する筐体は、前記設置面または前記電源回路を収容する筐体に着脱可能であることを特徴とする。
本構成により、光源を収容する筐体と電源回路を収容する筐体とが、照明器具の故障等の状況に合わせて着脱することができる。
【００１４】
本発明の照明装置は、さらに、前記係止部材は、開口部を有する受け部と前記開口部に嵌合される突起部とからなることを特徴とする。
本構成により、光源を収容する筐体と電源回路を収容する筐体とを嵌合させて係止することができ、着脱が容易となる。
【００１５】
本発明の照明装置は、さらに、前記受け部は前記光源を収容する筐体に設けられ、前記突起部は前記設置面または前記電源回路を収容する筐体に設けられてなることを特徴とする。
【００１６】
本発明の照明装置は、さらに、前記係止部材は、前記照明装置の長手方向に沿って形成されてなることを特徴とする。
【００１７】
本発明の照明装置は、さらに、２つの筐体の何れか一方の筐体は、前記２つの筐体が係止された状態で固定する固定部を備えることを特徴とする。
本構成により、照明装置の落下を防止し、より高い安全性を確保することができる。
【００１８】
本発明の照明装置は、さらに、前記光源はＬＥＤであることを特徴とする。
本構成により、天井に容易に取り付けることができるＬＥＤ照明装置を提供することができる。
【発明の効果】
【００１９】
本発明によれば、天井等の設置面に複数の照明装置をライン状に設置した場合において、ラインの照明装置の何れか１つが故障したとしても、故障した照明装置のみ交換することが可能なる。
また、照明装置をライン状に取り付ける場合においても、取付けが容易となる。
【発明を実施するための最良の形態】
【００２０】
以下、本発明の照明装置の実施の形態について図面を用いて説明する。
（実施の形態１）
図１は、本発明の実施の形態１の照明装置の概略組立斜視図である。図２は、図１の照明装置の概略分解斜視図である。図３は、図１の照明装置の光源側から見た概略平面図である。図４は、図３の照明装置の長手方向に沿ってＡ−Ａ線で切断した概略断面図である。図５は、図３の照明装置の短手方向に沿ってＢ−Ｂ線で切断した概略断面図である。
【００２１】
なお、実施の形態１の照明装置は細長の照明装置であり、以下の説明において、図５の矢印で記すように、照明装置の上方向とは天井面に取り付けられる方向を示し、下方向とは照射する方向を示すものとして便宜的に用いる。なお、照明装置を構成する筐体の説明において用いる上下方向についても同様である。
【００２２】
本発明の実施の形態１に係る照明装置１は細長の形状であって、光源としてのＬＥＤを収容する筐体２（以下、「ＬＥＤを収容する筐体２」を「照明ケース２」と称する）と、ＬＥＤに電流を供給する電源回路を収容する筐体３（以下、「電源回路を収容する筐体３」を「電源ケース３」と記す）とを別体に備え、照明ケース２と電源ケース３は互いに着脱可能な係止構造を有している。
【００２３】
電源ケース３は筐体の上面側を天井面にボルト等で取り付けられ、電源ケース３の内部に収容する電源回路が天井裏に配設されている外部電源からの電力線と接続される。また、照明ケース２は電源ケース３に係止され、照明ケース２の内部に収容するＬＥＤは電源回路と配線によって接続されており、ＬＥＤには外部電源から供給される交流電圧が電源回路にて直流電圧に変換及び整流されて供給される。よって、照明装置１は、ＬＥＤから照射される光により照明が可能となる。
【００２４】
まず、照明ケース２と、照明ケース２内部に収容されるＬＥＤ等の部品について説明する。
照明ケース２は、軽量かつ放熱性が良い金属である例えばアルミニウムからなり、底面４と一部屈曲した部分を有し長手方向に沿って先端が二股に分かれた溝である凹部６が形成された側面５とを備える細長の略直方体形状（蒲鉾形状）である。また、照明ケース２は、短手側の両端と底面と対向する側において開口部を有している。
【００２５】
照明ケース２の底面４には、複数のＬＥＤ１２を装着したＬＥＤ基板７を複数枚（本実施の形態では４枚）取り付けるためのＬＥＤ基板取付孔８が複数個設けられ、底面に４枚のＬＥＤ基板７がビス等のＬＥＤ基板係止部材３０で取り付けられている。
【００２６】
さらに、底面４の短辺側の両端部には、固定部であるストッパー９を嵌め込んで電源ケース３と照明ケース２を取付けるための矩形状の電源ケース取付孔１０が設けられている。また、底面４の短辺側の両端部には、両端の開口部を覆うサイドカバー１１が設けられている。サイドカバー１１は白色の反射性の高い金属からなり、両端の開口部から光が漏れることを防止する。
【００２７】
ストッパー９は板状の突起部であり、ストッパー９の中央を軸に回動できるように電源ケース３に設けられている。板状のストッパー９の幅は、矩形状の電源ケース取付孔１０の長辺より短く、短辺より長くなるように設計されている。よって、ストッパー９を電源ケース取付孔１０に挿入し、照明ケース２と電源ケース３とを係止構造により係止した後に、ストッパー９を略９０度回動させることにより、照明ケース２と電源ケース３は係止された状態で保持する事が可能となる。なお、ストッパー９は、電源ケース３に一体的に形成されていてもよく、又は電源ケース３と取り外し可能な別体の部材でもよい。
【００２８】
また、照明ケース２の側面５の先端の凹部６には、ＬＥＤ１２をカバーする保護板１３が嵌め込まれる。保護板１３は、ＬＥＤ１２を外部から保護するとともに、ＬＥＤ１２から照射される光のグレアを解消する。本実施の形態においては、保護板１３として、ポリカーボネート樹脂の乳白色の拡散板が用いられる。また、照明装置１が設置される室内の照度を確保するために、例えばアクリル樹脂の透明板であってもよい。照明装置１が設置される場所や用途によって、保護板の種類を選択可能とすることで、照明装置の汎用性が高めることができる。
【００２９】
また、照明ケース２の電源ケース３と接する側の面には、照明ケース２の長手方向に沿って、照明ケース２の全長に渡りケース係止受け部１４が２つ形成されている。２つのケース係止部材１４は、照明装置１の短辺側から見た断面形状がＬ字状であり、照明ケース２の裏面とケース係止受け部１４のＬ字により形成される係止開口部１５が同一の方向となるように形成されている。係止開口部１５には、後述する電源ケース２に形成されるケース係止突起部１６を嵌合することによって、照明ケース２と電源ケース３は係止される。従って、係止構造は、ケース係止受け部１４とケース係止突起部１６により構成されることとなる。
【００３０】
さらに、照明ケース２の短辺側の両端部において、照射方向側から保護板１３等の部品を押圧して保持する保持部材１７が設けられている。保持部材１７は、照明ケース２の短辺両端部の開口部を覆うともに保持部材１７を押圧できるように屈曲した構造であり、照明ケース２の底面４に取り付けるための爪部１８とストッパーが回動しないようにするストッパー固定部１９を有する。図５に示すように、本実施の形態では、爪部１８の個数は２つであり、安定して保持することができる。
【００３１】
次に、光源であるＬＥＤ１２と複数のＬＥＤ１２を装着したＬＥＤ基板７について、より詳細に説明する。
本実施の形態で用いられるＬＥＤ１２は、青色ＬＥＤと黄色蛍光体からなる擬似白色の表面実装型ＬＥＤである。擬似白色のＬＥＤから照射される光は、青色ＬＥＤが発する青色の光と、黄色蛍光体が青色ＬＥＤからの青色の光に励起されて発する黄色の光とが混合されるので、白色の光が照射されているように視感される。
【００３２】
ＬＥＤ基板７はプリント配線基板であり、複数のＬＥＤ１２が等間隔にマトリクス状に配列されている。また、ＬＥＤ基板７には、複数のＬＥＤ１２間を通電する配線パターン（図示せず）、ＬＥＤ１２に一定の電流を流すための制限抵抗（図示せず）、複数のＬＥＤ基板７間を接続するためのＬＥＤ基板コネクタ２０が設けられている。
【００３３】
なお、ＬＥＤ基板コネクタ２０は１枚のＬＥＤ基板に２つずつ設けられており、２つともＬＥＤ基板７の一辺側の端部に設けられている。従って、ＬＥＤ基板７を照明ケース２の底面４に装着する場合に、ＬＥＤ基板コネクタ２０が設けられている領域及びＬＥＤ基板コネクタ２０間を接続する配線２１が、照明ケース２の側面５が屈曲していることによって形成される空間に収容することが可能となる。よって、照射される側から照明装置１を見た場合に、ＬＥＤ基板コネクタ２０等を視認することがないので、配線等が配設されて発光しない箇所を隠すことができ、また外観上も良い。
【００３４】
さらに、ＬＥＤ基板７の表面には、反射シート２２が設けられており、ＬＥＤ１２からの光がＬＥＤ基板７で吸収されないので、照射される光の量が減少することを防ぐことができる。なお、反射シート２２として、例えばポリエチレンテレフタレート（ＰＥＴ）フィルムが用いられる。
【００３５】
次に、電源ケース３と電源ケース３に収容される電源回路部等の部品について説明する。
電源ケース３は、鉄等の金属からなる直方体の筐体であり、内部に電源回路部及び外部電源から電力線が接続するための接続端子としての速結端子２３を備える。また、電源回路部は安全性を確保するために、金属性の電源回路ボックス２４の内部に収容されている。
【００３６】
電源回路部は、電源回路基板２５にコンデンサやトランス等の電子部品（図示せず）を装着して構成され、電源回路ボックス２４に絶縁シート２６を介して取り付けられる。なお、電源回路部と電源回路ボックス２４の間の絶縁性をさらに確保するには、電源回路部をシリコン等の樹脂でモールドされている事が好ましい。
【００３７】
また、電源ケース３の長手方向の長さは照明ケース２の長手方向の長さとほぼ同じであるが、電源ケース３の短手方向の長さは電源ケース２の短手方向の長さの略半分である。従って、図に示すように、電源ケース３を照明ケース２の底面の裏面に短辺側の中心を揃えて取り付けた場合に、電源ケース３と照明ケース２の短辺の長さの違いに起因して、照明ケース２の裏面の一部が外部に露出される構成となる。よって、放熱性の高いアルミニウム等の金属からなる照明ケースの裏面からより効果的に活用でき、ＬＥＤ１２から発せられる熱を効率的に放熱することが可能となる。
【００３８】
また、電源回路部及びＬＥＤ基板７は、互いに接続する為の配線２７及びコネクタ２８を有しており、照明ケース２の電源ケース取付孔１０を通して接続されている。
また、図示しないが、電源ケース３の天井側の面には、天井に配設された電力線を引き込む引込孔（図示せず）が設けられ、引込孔の孔周囲には樹脂製の緩衝リング（図示せず）が装着されている。よって、通常電力線として直径１６ｍｍ〜２０ｍｍ程度の比較的太い電力線が用いられているが、引込孔から電力線を引き込もうとする際に、照明装置の製造過程で引込孔の孔周囲に形成されたバリ等により電力線が損傷を受けることを防ぐことが可能である。
【００３９】
なお、電力線の損傷を防ぐために、引込孔に樹脂リングを装着するのではなく、つば加工等の端面処理がされていてもよい。
また、電源ケース３の高さは電源回路ボックス２４を収容できるサイズであって、内部にある程度の空間を確保できるように設計されていることが好ましい。電源ケース２にある程度の高さがなければ、上述したような太い電力線を引込孔から引き込んで電源ケース２に沿って曲げる為の空間を確保することができないからである。本実施の形態においては、通常用いられる直径１６ｍｍ〜２０ｍｍの電力線に対応して、電源回路ケース２４の高さは４２ｍｍと設計されている。
【００４０】
また、電気用品安全法により、絶縁性の確保のため、電源回路基板を周囲の金属部品からである電源回路ボックスから少なくとも５ｍｍの距離をあけるように求められているが、上述したように電源ケースの高さを十分に設計することにより、電源回路基板を５ｍｍの距離をあけて収容する高さを有する電源回路ボックスを電源ケース内に設けることができる。
【００４１】
また、電源回路部（電源回路ボックス２４）は、電源ケース３内の何れの場所に設置されていてもよいが、速結端子２３を介する必要があるので、引込孔から一定距離を空けて設置されている。なお、電源回路部が、電源ケース３の短辺側の何れか一端に近く設けられていれば、電源回路部とＬＥＤ基板７とを接続する配線２７が短くなり、照明ケース２と電源ケース３を係止させた場合のコネクタ２８による接続も容易となる。
【００４２】
以上、本実施の形態の照明装置１の構成について説明したが、次に、照明ケース２と電源ケース３の係止方法を含めた照明装置１の天井への取付方法について説明する。
まず、天井に配設されている電力線を引込孔に引込み、電源ケース３を天井（あるいはＣチャネル）にボルト３１で固定する。電源ケース３の天井に接する面には複数個の当接面２９が突起して設けられており、天井面の表面の状態に拘らず電源ケース３を天井面にボルトで強固の固定できる。電力線を速結端子２３に接続し、外部電源と電源回路部を通電する。
【００４３】
次に、電源ケース３に設けられたストッパー９、電源回路部からの配線２７及びコネクタ２８を電源ケース取付孔１０を導通するとともに、照明ケース２を電源ケース３に係止させる。照明ケース２と電源ケース３の係止は、上述したように電源ケース２のケース係止突起部１６を照明ケース２のケース係止受け部１４に嵌め込むことにより為される。なお、２つのケース係止受け部１４は、共に開口部を照明ケース２の長辺側に向けて同一方向に揃えているため、電源ケース３を照明ケース２の短手方向に移動させることによって係止することができる。また、取り付けの方向と逆の方向に移動させることによって取り外すこともでき、照明装置１の短手方向の移動により着脱可能となる。
【００４４】
さらに、ストッパー９を略９０度回動させて、照明ケース２と電源ケース３を係止させた状態で固定する。また、電源回路部とＬＥＤ基板７からのコネクタ２８を接続することにより、ＬＥＤ１２は外部電源と電気的に接続される。
【００４５】
次に、照明ケース２の側面５の凹部６に保護板１３を嵌めこみ、保護板１３の照射方向側から保持部材１７を照明ケース２の短辺側の両端に取り付ける。保持部材１７の取り付けにより、ストッパー９が回動することも防止され、照明ケース２と電源ケース３の係止がより強固となる。よって、照明装置は、照明装置に対して自重の６倍程度の力が照明装置の設置面の垂直方向に加わったとしても、照明装置の係止状態を維持するがことが可能となる。
【００４６】
以上により、照明装置１を天井に容易に取り付けることが可能となる。また、ストッパー９等により安全性も確保することが可能となる。
なお、上記実施の形態において、照明ケース２にケース係止受け部１４を設け、電源ケース３にケース係止突起部１６を設ける構成としたが、逆に設けられていてもよい。
【００４７】
また、上記実施形態は、照明装置が光源を収容する筐体と電源回路を収容する筐体の複数の筐体からなる例であるが、電源回路を天井内に配設した場合であって少なくとも光源を収容する筐体を有する照明装置を天井等の設置面に取付ける場合であっても、本発明は適用が可能である。つまり、設置面と光源を収容する筐体の設置面に対向する面に、例えば上述した受け部と突起部からなる一組の係止部材を設けることによって、設置面に光源を収容する筐体を取付けることが可能となる。よって、天井等の設置面に複数の照明装置をライン状に設置した場合において、ラインの照明装置の何れか１つが故障したとしても、照明装置はラインと垂直をなす方向から係止する係止手段によって係止されているので、故障した照明装置のみを交換することができる。また、照明装置をライン状に取り付ける際においても、ラインと垂直をなす方向から照明装置を取付けることができるので、複数の照明装置を同時に取付けることができ、取付けの作業性が向上する。
【００４８】
なお、上記説明において、ラインと垂直をなす方向とは、照明装置の設置面に平行であって、照明装置の短手方向であるが、ラインと垂直をなし且つ設置面に対しても垂直である方向でもよい。その場合であっても、ライン状に取付けられた複数の照明装置を、個々に取り替えることが可能である。
【００４９】
さらに、細長の照明装置で限定されず、スクエア型の照明装置であっても、ケース係止受け部１４とケース係止突起部１６を２つの筐体に形成することで本発明は適用できる。天井等の設置面に連続して複数の照明装置を設置する場合は、隣り合う他の照明装置の側と異なる方向から照明装置を設置することができるので効果的である。
また、上記実施の形態において、光源としてＬＥＤを用いた照明装置を例示して説明したが、光源はＬＥＤに限定されず、ＥＬ（Ｅｌｅｃｔｒｏ‐Ｌｕｍｉｎｅｓｃｅｎｃｅ）等の他の光源であってもよい。
【００５０】
（実施の形態２）
図６は、本発明の実施の形態２の照明装置の概略分解斜視図である。図７は、図６の照明装置の係止状態を示す概略分解斜視図である。実施の形態１と同一の部分については、同一の符号を付して、詳細な説明は省略する。
【００５１】
実施の形態２の照明装置４１は、実施の形態１の照明装置とは、照明ケースと電源ケースの係止構造を補助して固定する構造が異なる。実施の形態１の照明装置１は、電源ケース３の短辺側の両端部に設けられたストッパー９を照明ケース２の電源ケース取付孔１０に挿通させた後に回動させて、照明ケース２と電源ケース３とを係止させた状態で固定している。
よって、照明装置を天井等の固定された設置面に取付ける場合においては、実施の形態１に示すストッパーでも照明装置の取付けは比較的容易であった。しかし、天井に吊り下げられた不安定なワイヤーに照明装置を取付ける場合には、固定面に取付ける場合とは異なり、より容易に取付ける構造が必要である。
【００５２】
そこで、実施の形態２の照明装置４１は、電源ケース４２の短辺側の両端部にコの字状であって、照明装置の短辺側の端部に向けて開口した引掛部４３を備える。引掛部４３は、照明ケース２の電源ケース取付孔１０を挿通可能な大きさであり、照明ケース２の電源ケース取付孔１０に隣接する一部に引掛けられる。よって、引掛部４３は固定部として作用することになる。また、さらに照明ケース２と電源ケース４２の引掛部４３を固定する係止ネジ４４により固定が強固となる。なお、引掛部４３は、電源ケース４２自体に一体的に形成されていてもよく、また、電源ケース４２とは別体で電源ケースに着脱可能な構造であってもよい。
【００５３】
次に、実施の形態２の照明装置４１の取付けについて詳細に説明する。
まず、天井等に吊り下げられたワイヤーに配設されたボルト等の取付具に電源ケース４２を取り付け、電力線を電源ケース４２内の速結端子２３に接続する。次に、電源ケース４２の一端の引掛部４３を照明ケース２に引掛けるとともに、もう一方の引掛部４３を照明ケース２に順に引掛けて、電源ケース４２に照明ケース２を一旦取付ける。その後、電源ケース４２のケース係止突起部１６を、照明ケース２のケース係止受け部１４に嵌合させて係止させる。その際、ＬＥＤ基板７からのコネクタ２８を接続することにより、ＬＥＤ１２は電源回路部に接続され、外部電源と電気的に接続される。また、ネジ４４を照明ケース２側から電源ケース４２まで到達するよう螺合させて、照明ケース２と電源ケース４２の係止がより強固となる。
【００５４】
従って、引掛部４３により電源ケース４２と照明ケース２を一旦取付けた後に、係止部材により係止させるので、照明装置の取付けが容易となる。よって、不安定なワイヤーに対しても照明装置を取付けることができる。なお、取付ける対象はワイヤーでなくてもロープ等の不安定な物であれば、本発明が適用できる。
【図面の簡単な説明】
【００５５】
【図１】本発明の実施の形態１の照明装置の概略組立斜視図である。
【図２】図１の照明装置の概略分解斜視図である。
【図３】図１の照明装置の光源側から見た概略平面図である。
【図４】図３の照明装置のＡ−Ａ線で切断した概略断面図である。
【図５】図３の照明装置のＢ−Ｂ線で切断した概略断面図である。
【図６】本発明の実施の形態２の照明装置の概略分解斜視図である。
【図７】図６の照明装置の係止状態を示す概略分解斜視図である。
【図８】従来の照明装置の概略断面図である。
【符号の説明】
【００５６】
１、４１  照明装置
２  照明ケース
３、４２  電源ケース
７  ＬＥＤ基板
９  ストッパー
１０  電源ケース取付孔
１２  ＬＥＤ
１４  ケース係止受け部
１５  係止開口部
１６  ケース係止突起部
１７  保持部材
【図１】
2009181813.tif 000003
【図２】
2009181813.tif 000004
【図３】
2009181813.tif 000005
【図４】
2009181813.tif 000006
【図５】
2009181813.tif 000007
【図６】
2009181813.tif 000008
【図７】
2009181813.tif 000009
【図８】
2009181813.tif 000010